(57)【要約】      （修正有）【課題】側溝用蓋体を構成するブロックやグレーチングの取り外し操作の容易性を確保しつつ、小型化や軽重量化された側溝用蓋体操作具を提供する。【解決手段】側溝上部開口を覆って設置された蓋体の引き起こし若しくは取り外しを行なう蓋体操作具１であって、棒状の操作ロッド２を備え、この操作ロッド２の一端部に、前記蓋体をその上下方向から挟み込む係合部２ａが設けられ、他端部に、使用者によって把持される操作部２ｂが設けられていることを特徴とする。【選択図】図１
0003214244.tif 000002
【実用新案登録請求の範囲】
【請求項１】
側溝上部開口を覆って設置された蓋体の引き起こし若しくは取り外しを行なう蓋体操作具であって、棒状の操作ロッドを備え、この操作ロッドの一端部に、前記蓋体をその上下方向から挟み込む係合部が設けられ、他端部に、使用者によって把持される操作部が設けられていることを特徴とする側溝用蓋体操作具。
【請求項２】
前記蓋体が、その側部に前記側溝内部を露出させる切り欠きが設けられたブロックであり、前記係合部が、前記切り欠きを介して前記ブロックの下方へ挿入されるとともに、このブロックの下面に対峙させられる下部係合片と、この下部係合片と略平行に設けられ、前記ブロックの上面に対峙させられる上部係合片とによって構成されていることを特徴とする請求項１に記載の側溝用蓋体操作具。
【請求項３】
前記蓋体が、多数の開口を備えたグレーチングであり、前記係合部には、前記グレーチングの上面に当接させられる押圧プレートと、この押圧プレートを貫通して設けられ、前記グレーチングの開口を介してこのグレーチングの下方へ挿入されるとともに前記グレーチングの格子にその下方から係合させられるフックとを備えた吊り上げ治具が着脱可能に装着され、前記フックが、押圧プレートに対し貫通方向に摺動可能に、かつ、その摺動方向を軸線として回動可能に装着されていることを特徴とする請求項１に記載の側溝用蓋体操作具。
【請求項４】
前記押圧プレートと前記フックとの間に、このフックの下部を前記押圧プレートの下面へ向けて弾性的に押圧する押圧部材が向けられていることを特徴とする請求項３に記載の側溝用蓋体操作具。
【請求項５】
前記操作部には、前記操作ロッドの長さ方向に沿って重畳させられる収納位置と、前記操作ロッドの側方へ突出させられる使用位置との２位置に選択的に位置させられる補助ロッドが回動可能に装着されていることを特徴とする請求項１ないし請求項４の何れかに記載の側溝用蓋体操作具。
【考案の詳細な説明】
【技術分野】
【０００１】
本考案は、側溝上部開口を覆って設置された蓋体の引き起こし若しくは取り外しを行なう側溝用蓋体操作具に関するものである。
【背景技術】
【０００２】
一般に、たとえば道路には、排水等を目的として側溝が設けられており、この側溝の上部開口は、矩形状のブロックやグレーチングによって覆われている。
【０００３】
そして、前述した側溝にあっては、その排水機能を維持するために、その内部の堆積物を除去する必要があり、その除去作業を行なうためには、前記側溝を覆うブロックやグレーチング等の前記蓋体を引き起こし若しくは外さなければならない。
【０００４】
ところで、前記蓋体は、不用意な移動を防止するために、ある程度の重量となるように形成されていることから、この蓋体の引き起こしや取り外し作業が繁雑なものとなっている。
【０００５】
このような不具合を解消するために、従来では、たとえば、特許文献１に示されるような蓋体操作具が提案されている。
【先行技術文献】
【特許文献】
【０００６】
【特許文献１】特開２００２−２５５３２３号公報
【考案の概要】
【考案が解決しようとする課題】
【０００７】
前述した従来の蓋体操作具は、矩形状で、その平行な一対の側部に切り欠きが形成されているブロックを対象としたもので、前記各切り欠き内に挿入されるとともに、前記ブロックのそれぞれの側部に係合させられる一対のフックを備えたクランプ機構と、このクランプ機構が装着され、テコの機能と搬送機能を備えた操作部材を用いて構成したものである。
【０００８】
そして、前記クランプ機構により前記各フックを前記ブロックの両側部に係合させた状態に保持し、このクランプ機構を前記操作部材のテコの機能を利用して前記ブロックを引き上げ、さらに、引き上げられた前記ブロックを、前記操作部材の搬送機能を利用して前記側溝から引き離すことにより、前記ブロックを前記側溝から取り外すようにしている。
【０００９】
このような従来の側溝用の蓋体操作具によって、重量物である側溝用の蓋体を容易に取り外すことができるようになったが、なお、つぎのような改善すべき問題点が残されている。
【００１０】
すなわち、従来の側溝用の蓋体操作具は、前述したように複数のフック、クランプ機構、および、テコの機能や搬送機能を備えた操作部材といった多数の構成部材を必要とし、かつ、特に、前記クランプ機構や操作部材自体も多くの構成部材によって構成されていることにより、全体としての構造が複雑なものとなり、操作具が大型化し、また、その重量が重くなるといった問題点である。
【００１１】
このような問題点は、蓋体操作具の取り扱いや搬送、あるいは、収納にも不具合を生じさせる。
【００１２】
本考案は、前述した従来の技術において残されている問題点を解決せんとしてなされたもので、側溝用蓋体を構成するブロックやグレーチングの取り外し操作の容易性を確保しつつ、小型化や軽重量化された側溝用蓋体操作具を提供することを課題とする。
【課題を解決するための手段】
【００１３】
本考案の側溝用蓋体操作具は、側溝上部開口を覆って設置された蓋体の引き起こし若しくは取り外しを行なう蓋体操作具であって、棒状の操作ロッドを備え、この操作ロッドの一端部に、前記蓋体をその上下方向から挟み込む係合部が設けられ、他端部に、使用者によって把持される操作部が設けられていることを特徴とする。
【００１４】
このような構成とすることにより、前記係合部を前記蓋体の一側部に差し込んで、この係合部により前記蓋体の一側部をその上下方向から挟み込んで、前記操作ロッドと前記蓋体とを一体化する。
【００１５】
ついで、前記操作ロッドの他端部の操作部を把持して上方へ引き上げることにより、この操作ロッドとともに前記蓋体を、この蓋体の他側部を中心として引き起こすことができる。
【００１６】
この操作により、前記蓋体を側溝に直立させ、さらに、前記操作ロッドを前記蓋体化から引き抜くことで、前記側溝の上部開口を開放することができる。
【００１７】
そして、本考案の蓋体操作具は、棒状の操作ロッドの一端部に、前記蓋体の側部を上下方向から挟み込む係合部を設けるだけの構成であるから、その構成が簡素であり、小型で軽量な構成とすることができる。
【００１８】
前記蓋体が、その側部に前記側溝内部を露出させる切り欠きが設けられたブロックである場合、前記係合部を、前記切り欠きを介して前記ブロックの下方へ挿入されるとともに、このブロックの下面に対峙させられる下部係合片と、この下部係合片と略平行に設けられ、前記ブロックの上面に対峙させられる上部係合片とによって構成することができる。
【００１９】
このような構成とすることにより、前記係合部と前記操作ロッドとを連続して一体化した構成することができ、構成の簡素化を図ることができる。
【００２０】
また、前記蓋体が、多数の開口を備えたグレーチングである場合、前記係合部に、前記グレーチングの上面に当接させられる押圧プレートと、この押圧プレートを貫通して設けられ、前記グレーチングの開口を介してこのグレーチングの下方へ挿入されるとともに前記グレーチングの格子にその下方から係合させられるフックとを備えた吊り上げ治具を着脱可能に装着し、前記フックを、押圧プレートに対し貫通方向に摺動可能に、かつ、その摺動方向を軸線として回動可能に装着した構成とすることができる。
【００２１】
このような構成とすることにより、前記フックを、前記グレーチングの開口から下方に挿入して、このグレーチングの格子に下方から係合させ、かつ、前記押圧プレートを前記グレーチングの上面に当接させてこのグレーチングを上下から挟み込む。
【００２２】
これより、前記操作ロッドに設けられた前記係合部を支点として、前記操作ロッドに設けられている操作部を押し下げることにより、テコの作用を利用して、前記吊り上げ治具を前記グレーチングとともに持ち上げることができる。
【００２３】
ついで、前記操作ロッドを、前述したようにテコの支点として利用した係合部を中心に水平方向に回動させることにより、持ち上げた前記グレーチングを側溝の側部に移動させ、これによって、前記側溝の上部開口を開放することができる。
【００２４】
そして、前記押圧プレートと前記フックとの間に、このフックの下部を前記押圧プレートの下面へ向けて弾性的に押圧する押圧部材を介装しておくことが好ましい。
【００２５】
このような構成とすることにより、前記押圧プレートと前記フックによる前記グレーチングの挟み込みを確実なものとして、前記グレーチングの着脱操作を安定させることができる。
【００２６】
また、前記操作部に、前記操作ロッドの長さ方向に沿って重畳させられる収納位置と、前記操作ロッドの側方へ突出させられる使用位置との２位置に選択的に位置させられる補助ロッドを回動可能に装着しておくことができる。
【００２７】
このような構成とすることにより、前記補助ロッドを前記操作ロッドの側部へ突出させて、この補助ロッドと前記操作部を両手で掴んで操作することができるので、前述した蓋体の着脱操作を簡便なものとすることができる。
【考案の効果】
【００２８】
本考案の側溝用蓋体操作具は、側溝用蓋体を構成するブロックやグレーチングの取り外し操作の容易性を確保しつつ、小型化や軽重量化を図ることができる。
【図面の簡単な説明】
【００２９】
【図１】本考案の一実施形態を示す正面図である。
【図２】本考案の一実施形態を示す側面図である。
【図３】本考案の一実施形態を示すもので、補助ロッドを使用位置に回動させた状態を示す正面図である。
【図４】本考案の一実施形態を示すもので、補助ロッドを使用位置に回動させた状態を示す側面図である。
【図５】本考案の一実施形態が用いられる蓋体を備えた側溝の平面図である。
【図６】本考案の一実施形態の使用方法の説明図で、蓋体を備えた側溝の縦断面図である。
【図７】本考案の一実施形態の使用方法の説明図で、蓋体を備えた側溝の縦断面図である。
【図８】本考案の一実施形態の使用方法の説明図で、蓋体を備えた側溝の縦断面図である。
【図９】本考案の一実施形態によって立て起こされた蓋体の状態を示す側溝の縦断面図である。
【図１０】グレーチングを備えた側溝の平面図である。
【図１１】本考案の変形例を示す正面図である。
【図１２】本考案の変形例を示すもので、要部の分解斜視図である。
【図１３】本考案の変形例を示すもので、要部の外観斜視図である。
【図１４】本考案の変形例の使用方法を説明する正面図である。
【図１５】本考案の他の変形例を示す要部の正面図である。
【図１６】図１５のＺ−Ｚ線断面図である。
【考案を実施するための形態】
【００３０】
以下、本考案の一実施形態を図１ないし図９を参照して説明する。
これらの図において、符号１は本実施形態に係わる側溝用蓋体操作具を示す。
【００３１】
この側溝用蓋体操作具１は、図５に示すブロック状の側溝用蓋体（以下、蓋体と略称する）Ａの着脱に用いられるもので、この蓋体Ａは、側溝Ｂの上部開口に沿って多数設置されて、この上部開口を閉塞するようになっている。
また、前記蓋体Ａの一側部には、隣り合う他の蓋体Ａとの間に隙間を形成する切り欠きａが形成されている。
【００３２】
そして本実施形態の側溝用蓋体操作具１は、複数設置された前記蓋体Ａ間の隙間を利用して、この蓋体Ａの開閉を行なうようにしたもので、棒状の操作ロッド２を備え、この操作ロッド２の一端部に、前記蓋体Ａをその上下方向から挟み込む係合部２ａが設けられ、他端部に、使用者によって把持される操作部２ｂが設けられている。
【００３３】
本実施形態においては、前記係合部２ａが、前記蓋体Ａ切り欠きを介して前記蓋体Ａの下方へ挿入されるとともに、この蓋体Ａの下面に対峙させられる下部係合片３と、この下部係合片３と略平行に設けられ、前記蓋体Ａの上面に対峙させられる上部係合片４とによって構成されている。
【００３４】
前記下部係合片３はＬ字状に形成され、前記操作ロッド２を含む面内で、この操作ロッド２の一端部より下方に位置し、かつ、この操作ロッド２の長さ方向前方に突出するように連設され、また、前記上部係合片４は、前記操作ロッド２の一端部から、前記操作ロッド２を含む面内で、この操作ロッド２の長さ方向前方に突出するように連設されていることにより、これらの下部係合片３と上部係合片４が所定の間隔をおいて平行となるように設けられている。
【００３５】
また、前記下部係合片３および前記上部係合片４は、前記操作ロッド２に対して所定角度をなすように形成されている。
【００３６】
そして、本実施形態においては、前記操作ロッド２の幅が、前記蓋体Ａに形成されている切り欠きａと隣り合う他の蓋体Ａとの間の隙間より小さく設定されている。
【００３７】
また、前記下部係合片３の長さが、前記切り欠きａの幅よりも短く設定され、また、前記上部係合片４の長さが、前記下部係合片３の長さよりも長く設定され、さらに、前記下部係合片３と前記上部係合片４との間隔が、前記蓋体Ａの厚みより若干の広く設定されている。
【００３８】
さらに、前記上部係合片４の突出端下部には、この上部係合片４と前記下部係合片３を含む面と直交する当接プレート５が一体に設けられている。
【００３９】
さらに、本実施形態においては、前記操作部２ｂの基部近傍に、図１および図２に示すように、前記操作ロッド２の長さ方向に沿って重畳させられる収納位置と、図３および図４に示すように、前記操作ロッド２の側方へ突出させられる使用位置との２位置に選択的に位置させられる補助ロッド６が回動可能に装着されている。
【００４０】
前記補助ロッド６は、図２に示すように、断面がコ字状に形成されて、前記操作ロッド２をその側方から覆うようにして装着され、一端部において、ピボット軸７によって前記操作ロッド２に回動可能に連結されている。
【００４１】
ついで、このように構成された本実施形態の側溝用蓋体操作具１を用いた、前述したブロック状の蓋体Ａの開閉操作について説明する。
【００４２】
蓋体操作に際して、前記補助ロッド６は収納位置と使用位置との何れか任意の位置に位置させる。
図示例では、使用位置に位置させた状態を示してある。
【００４３】
まず、前記係合部２ａを構成する前記下部係合片３を、前記蓋体Ａの切り欠きａの上方に、この切り欠きａの幅方向に沿うように位置させた後に、図６（ａ）に示すように、前記下部係合片３を前記切り欠きａへ挿入するとともに、前記蓋体Ａの下方へ位置させる。
【００４４】
ついで、図６（ａ）に矢印で示すように、前記側溝用蓋体操作具１を水平方向にほぼ９０度回動させる。
【００４５】
これによって、図６（ｂ）に示すように、前記側溝用蓋体操作具１が、前記側溝Ｂの長さ方向に沿って位置させられるとともに、前記下部係合片３が前記蓋体Ａの下面に対峙され、前記上部係合片４が前記蓋体Ａの上面に対峙される。
【００４６】
ついで、図６（ｂ）に矢印で示すように、前記操作ロッド２を、その操作部２ｂおよび前記補助ロッド６を把持して持ち上げる。
【００４７】
このような操作により、前記下部係合片３が前記蓋体Ａの下面に当接させられ、かつ、前記上部係合片４の先端部に設けられている当接プレート５が前記蓋体Ａの上面に当接させられて、前記側溝用蓋体操作具１が前記蓋体Ａと一体化される。
【００４８】
さらに、前記操作部２ｂおよび補助ロッド６を持ち上げると、前記操作ロッド２と一体化された前記蓋体Ａが、前記切り欠きａが形成されている側と反対側の側部を中心に上方へ引き起こされる。
【００４９】
そして、図７に示すように、前記蓋体Ａを鉛直状態となるまで引き起こすと、この蓋体Ａは自立可能となるから、この状態で、前記側溝用蓋体操作具１を前記蓋体Ａから引き抜き、同図に鎖線で示すように、引き抜いた前記側溝用蓋体操作具１を用いて、他の隣接する蓋体Ａを引き起こす。
【００５０】
ここで、隣接する二つの蓋体Ａを近づけるように引き起こすことにより、これらの蓋体Ａを、図８に示すように、それぞれの上面を突き合わせた状態に起立させることができる。
【００５１】
このように突き合わせた二つの前記蓋体Ａの上部に、図９に示すように、コ字状のストッパー８を嵌めることにより、その倒れを防止することができる。
【００５２】
このような操作を、前記側溝Ｂの長さ方向に順次行なうことにより、その上部開口ｂを開放することができ、また、逆の操作によって前記側溝Ｂを閉じることができる。
【００５３】
ここで、本実施形態の側溝用蓋体操作具１は、前記操作ロッド２、前記係合部２ａ、および、前記操作部２ｂが連続した一体構造となっていることから、その構造が極めて簡素であり、軽量で取り扱いが容易である。
【００５４】
一方、前記側溝Ｂは、その一部に、図１０に示すようなグレーチング９によって構成された蓋体が設置されていることがある。
【００５５】
本考案では、このようなグレーチング９の取り外しを可能とするために、図１１ないし図１３に締めすように、前記係合部２ａに前記グレーチング９用の吊り上げ治具１０を装着可能としている。
【００５６】
この吊り上げ治具１０は、Ｌ字状に形成された前記下部係合片３の基部で、前記操作ロッド２との連続部に装着されるもので、前記連続部に着脱可能に固定される連結ロッド１１と、この連結ロッド１１の先端に垂設される吊り上げヘッド１２とによって構成されている。
【００５７】
前記連結ロッド１１は、前記下部係合片３の基部に被せられるようにして装着され、たとえばボルト等の固定部材１３によって着脱可能に固着されるようになっている。
【００５８】
前記吊り上げ治具は、前記グレーチング９の上面に当接させられる押圧プレート１４と、この押圧プレート１４を貫通して設けられ、前記グレーチング９の開口（すなわち、格子間の隙間）を介してこのグレーチング９の下方へ挿入されるとともに前記グレーチング９の格子にその下方から係合させられるフック１５とを備え、前記フック１５が、前記押圧プレート１４に対し貫通方向に摺動可能に、かつ、その摺動方向を軸線として回動可能に装着された構成となっている。
【００５９】
前記押圧プレート１４は、本実施形態においては十字状に形成され、それぞれの先端部には下方へ向けて折曲形成され、前記グレーチング９の格子間に挿入される舌片１４ａが形成されている。
【００６０】
前記フック１５は、前記押圧プレート１４の中央部に摺動可能に上下に貫通して設けられた昇降ロッド１５ａと、この昇降ロッド１５ａの下端に連設され、その径方向両側に突出するとともにその突出端部から上方へ向けて折曲された係止ロッド１５ｂとによって構成されている。
【００６１】
また、前記押圧プレート１４の上面と前記昇降ロッド１５ａとの間には、前記係止ロッド１５ｂを前記押圧プレート１４の下面へ向けて弾性的に押圧する圧縮スプリング等の弾性部材１６が介装されている。
【００６２】
また、前記昇降ロッド１５ａの上端部には、この昇降ロッド１５ａを前記連結ロッド１１の先端に回動可能に連結する連結部材１７が設けられている。
【００６３】
そして、前述したように構成された吊り上げ治具１０は、前記連結ロッド１１に装着された状態において、図１１に示すように、前記操作ロッド２に対して、前記下部係合片３や前記上部係合片４と同一方向に向けて垂設されるようになっている。
【００６４】
このように構成された本実施形態の側溝用蓋体操作具１は、前記吊り上げ治具１０を用いて前記グレーチング９を引き上げて、前記側溝Ｂの上部開口を開放することができる。
【００６５】
その操作について説明すれば、まず、前記吊り上げ治具１０を前記グレーチング９の上方に位置させた後に、その下方に位置させられているフック１５を前記グレーチング９の格子間に位置合わせする。
【００６６】
ついで、前記吊り上げ治具１０を下降させて、前記フック１５を構成する前記係止ロッド１５ｂを前記グレーチング９の格子間に挿入するとともに、前記押圧プレート１４を前記グレーチング９の上面に当接させる。
【００６７】
ここで、前記押圧プレート１４の先端部に形成されている各舌片１４ａを、前記グレーチング９の格子間に、その上方から係合させる。
【００６８】
ついで、前記昇降ロッド１５ａを前記弾性部材１６の弾性力に抗して押し下げることにより、前記係止ロッド１５ｂを前記グレーチング９の下面より下方に押し下げ、さらに、前記昇降ロッド１５ａを軸線周りに約９０度回動させることにより、前記係止ロッド１５ｂを前記グレーチング９の格子と交差するように位置させる。
【００６９】
これより、前記昇降ロッド１５ａへの押圧力を開放することにより、この昇降ロッド１５ａとともに前記係止ロッド１５ｂを前記グレーチング９へ向けて上昇させる。
【００７０】
このような操作により、前記グレーチング９の格子が、図１４に示すように、前記押圧プレート１４と前記係止ロッド１５ｂとによって包み込まれるようにして保持される。
【００７１】
ついで、前記連結ロッド１１が取り付けられた前記操作ロッド２を、前記上部係合片４の先端を接地させて保持した後に、前記連結ロッド１１の先端に、前記吊り上げ治具１０を、前記連結部材１７を介して連結する。
【００７２】
これより、前記操作ロッド２の操作部２ｂを押し下げて、この操作ロッド２を前記上部係合片４の先端を中心として傾倒させる。
【００７３】
この操作により、図１４に示すように、前記吊り上げ治具１０が前記グレーチング９とともに引き上げられて、前記側溝Ｂの上部開口が開放される。
【００７４】
ついで、前記グレーチング９を前記側溝Ｂの上方へ引き上げた状態で、前記操作ロッド２を、前記上部係合片４の先端を支点として水平方向に回動させることによって、前記グレーチング９を前記側溝Ｂから取り外すことができる。
【００７５】
このように本実施形態においては、棒状の簡素な構成の操作ロッド２に、コンパクトな前記吊り上げ治具１０を装着することによって前記グレーチング９の着脱機能を確保することができるとともに、その構成の煩雑化を抑制することができる。
【００７６】
また、不使用時においては、前記吊り上げ治具１０を前記操作ロッド２から取り外しておくことができるので、その搬送や収納が容易である。
【００７７】
なお、前記各実施形態において示した各構成部材の諸形状や寸法等は一例であって、設計要求等に基づき種々変更可能である。
【００７８】
たとえば、前記連結ロッド１１を前記下部係合片３の基部に固定部材１３によって固定する例を示したが、この固定部材１３を蝶ねじとすることにより、ドライバー等の治具を用いことなく前記固定ロッド１１および吊り上げ治具１０の着脱を行なうことができる。
【００７９】
あるいは、図１６に示すように、前記下部係合片３の基部を円柱状に形成し、前記連結ロッド１１を円筒状に形成して、これらを軸方向に嵌合させて相互に固定するとともに、抜き差し可能な構成とすることも可能である。
【００８０】
さらに、前記吊り上げ治具１０の連結部材１７を、図１５に示すように、前記連結ロッド１１にローラー１８を介して掛け止めされたスライダー１９と、このスライダー１９に水平回転自在な継ぎ手２０とによって構成し、この継ぎ手２０に前記吊り上げヘッド１２を連結した構成とすることができる。
【００８１】
このような構成とすることにより、前記吊り上げヘッド１２を前記連結ロッド１１の長さ方向に移動可能な構成とし、かつ、前記連結ロッド１１に対して水平方向の回動を自由にすることができる。
【００８２】
これによって、前記吊り上げヘッド１２の動きの自由度を高めて、前記グレーチング９への装着を簡便なものとすることができる。
【００８３】
このような構成とする場合、前記スライダー１９の移動距離を調整するために、前記連結ロッド１１に、前記スライダー１９と係合させられる一対のストッパー２１・２２を装着し、その一つのストッパー２２を、前記スライダー１９に対して位置調整可能な構成とすることが好ましい。
【００８４】
さらに、前記吊り上げヘッド１２を前記グレーチング９に装着してこのグレーチング９を吊り上げる際に、前記吊り上げヘッド１２の不要な動きを拘束するために、前記連結ロッド１１に、前記連結部材１７に係脱させられる係止アーム２３を回動可能に装着しておくことが好ましい。
【００８５】
そして、前記係止アーム２３は、前記吊り上げヘッド１２を前記グレーチング９へ装着する作業の際には、図１５に破線で示すように、前記連結ロッド１１に沿うような位置に収納するようにしておくことが好ましい。
【符号の説明】
【００８６】
１  側溝用蓋体操作具
２  操作ロッド
２ａ  係合部
２ｂ  操作部
３  下部係合片
４  上部係合件
５  当接プレート
６  補助ロッド
７  ピボット軸
８  ストッパー
９  グレーチング
１０  吊り上げ治具
１１  連結ロッド
１２  吊り上げヘッド
１３  固定部材
１４  押圧プレート
１４ａ  舌片
１５  フック
１５ａ  昇降ロッド
１５ｂ  係止ロッド
１６  弾性部材
１７  連結部材
１８  ローラー
１９  スライダー
２０  継ぎ手
２１  ストッパー
２２  ストッパー
２３  係止アーム
ａ  切り欠き
ｂ  上部開口
Ａ  （側溝用）蓋体
Ｂ  側溝
【図１】
0003214244.tif 000003
【図２】
0003214244.tif 000004
【図３】
0003214244.tif 000005
【図４】
0003214244.tif 000006
【図５】
0003214244.tif 000007
【図６】
0003214244.tif 000008
【図７】
0003214244.tif 000009
【図８】
0003214244.tif 000010
【図９】
0003214244.tif 000011
【図１０】
0003214244.tif 000012
【図１１】
0003214244.tif 000013
【図１２】
0003214244.tif 000014
【図１３】
0003214244.tif 000015
【図１４】
0003214244.tif 000016
【図１５】
0003214244.tif 000017
【図１６】
0003214244.tif 000018